(57)【要約】【課題】試合毎の意外性を高め、ひいては飽きのこない対戦型ゲームをプレイヤーに供する。【解決手段】サーバー装置５０は、各プレイヤーによるキャラクターの選択情報を含むゲーム進行処理要求をクライアント端末から受信する受信手段５２と、該受信手段５２によって受信したゲーム進行処理要求に対応したゲーム進行処理を実施するゲーム進行処理手段５３と、対戦前に、所定条件に基づき、各プレイヤーによる入札対象となるドラフトキャラクターを決定するドラフトキャラクター決定手段５６と、ドラフトキャラクターの能力値を、使用キャラクターの能力値の平均値よりも高い数値に設定する能力設定手段５７と、対戦前に、ドラフトキャラクターの入札モードを実行する入札モード実行手段５８と、を備える。【選択図】図３
2014184096.tif 000002
【特許請求の範囲】
【請求項１】
プレイヤー同士、あるいはプレイヤーと仮想プレイヤーとの対戦で使用される使用キャラクターと当該対戦で使用されない不使用キャラクターから構成されるチームを用いて当該対戦を行う対戦型ゲームのゲーム進行処理を実施するサーバー装置であって、
各プレイヤー、あるいは前記プレイヤーと前記仮想プレイヤーとが前記使用キャラクターとしてどのキャラクターを選択したかという選択情報を含むゲーム進行処理要求をクライアント端末から受信する受信手段と、
該受信手段によって受信した前記ゲーム進行処理要求に対応したゲーム進行処理を実施するゲーム進行処理手段と
前記対戦前に、所定条件に基づき、各プレイヤー、あるいは前記プレイヤーと前記仮想プレイヤーによる入札対象となるドラフトキャラクターを決定するドラフトキャラクター決定手段と、
前記ドラフトキャラクターの能力値を、前記使用キャラクターの能力値に基づいて設定する能力設定手段と、
前記対戦前に、前記ドラフトキャラクターの入札モードを実行する入札モード実行手段と、
を備える、サーバー装置。
【請求項２】
前記能力設定手段は、前記ドラフトキャラクターの能力値を、前記使用キャラクターの能力値に基づいて初期値よりも高い数値に設定する、請求項１に記載のサーバー装置。
【請求項３】
前記入札モードで落札された落札ドラフトキャラクターを、当該対戦あるいは所定の対戦の終了後、当該落札ドラフトキャラクターを落札したプレイヤーのチームを構成する前記使用キャラクター又は前記不使用キャラクターの一つとして当該チームに加えるドラフトキャラクター加入手段をさらに備える、請求項１〜２のいずれか一項に記載のサーバー装置。
【請求項４】
前記ドラフトキャラクター加入手段は、前記落札ドラフトキャラクターを、能力値を初期値に設定した後に、前記使用キャラクター又は前記不使用キャラクターの一つとして前記落札したプレイヤーのチームに加える、請求項３に記載のサーバー装置。
【請求項５】
前記入札モードで落札された落札ドラフトキャラクターを、当該プレイヤーの操作に応じ、前記使用キャラクターに替えて当該ゲームに参戦させる使用キャラクター決定手段をさらに備える、請求項１〜４のいずれか一項に記載のサーバー装置。
【請求項６】
前記使用キャラクター決定手段は、前記入札モードで落札された落札ドラフトキャラクターが、当該落札ドラフトプレイヤーを落札したプレイヤーのチームを構成する前記使用キャラクターと同じキャラクターである場合、当該プレイヤーの操作に応じることなく、当該使用キャラクターに替えて当該落札ドラフトキャラクターを当該ゲームに参戦させる、請求項５に記載のサーバー装置。
【請求項７】
プレイヤー同士、あるいはプレイヤーと仮想プレイヤーとの対戦で使用される使用キャラクターと当該対戦で使用されない不使用キャラクターから構成されるチームを用いて当該対戦を行う対戦型ゲームのゲーム進行を処理するコンピューターに、
各プレイヤー、あるいは前記プレイヤーと前記仮想プレイヤーとが前記使用キャラクターとしてどのキャラクターを選択したかという選択情報に基づいてゲーム進行処理を実施するステップと、
前記対戦前に、所定条件に基づき、各プレイヤー、あるいは前記プレイヤーと前記仮想プレイヤーによる入札対象となるドラフトキャラクターを決定するステップと、
前記ドラフトキャラクターの能力値を、前記使用キャラクターの能力値に基づいて設定するステップと、
前記対戦前に、前記ドラフトキャラクターの入札モードを実行するステップと、
を実行させる、ゲームプログラム。
【発明の詳細な説明】
【技術分野】
【０００１】
本発明は、サーバー装置およびゲームプログラムに関する。
【背景技術】
【０００２】
昨今、スマートフォンなどの携帯端末（クライアント端末）にゲームプログラム（アプリケーション）をダウンロードしておき、ゲーム進行処理はサーバー側で実施し、その処理結果を各携帯端末に反映させるというオンラインゲームの提供サービスが多く利用されている。また、このようなオンラインゲームとして、プレイヤーが育成したキャラクターを用いてプレイヤー同士で通信対戦を行うという対戦型のゲームも人気を博している。
【０００３】
ただし、このような対戦型のゲームにおいては、始めからプレイヤーの保有キャラクターのレベルに差があると試合展開が一方的になる場合がある。このように試合展開が一方的になるのを抑制したゲームとしては、各プレイヤーの保有キャラクターをすべてまとめてプールし、対戦を行うプレイヤーが順番にプールされたキャラクターから使用キャラクターを選択するようにしたものがある（例えば特許文献１参照）。
【先行技術文献】
【特許文献】
【０００４】
【特許文献１】特許第４６９３９３６号公報
【発明の概要】
【発明が解決しようとする課題】
【０００５】
しかしながら、上述のごとき従来のゲームにおいては、各プレイヤーが保有するキャラクターを使って対戦を行っていること、また、能力の高いキャラクターから順に選択されてしまうことから、対戦のメンバー構成に関して面白味に欠ける可能性がある。
【０００６】
そこで、本発明は、試合毎の意外性を高め、ひいては飽きのこない対戦型ゲームをプレイヤーに提供することができるサーバー装置およびゲームプログラムを提供することを目的とする。
【課題を解決するための手段】
【０００７】
かかる課題を解決するべく本発明者は種々の検討を行った。従来のように各プレイヤーの保有キャラクターをすべてまとめてプールし、各プレイヤーがそこから順番に選択することは、プレイヤー間の戦力の均衡、キャラクターのシャッフルといった効果は期待できるものの、全体とすればキャラクターの顔ぶれに変化がないことから、選択対象となるキャラクターの能力値に意外性はない。このため、対戦の度にキャラクターをプールし、その中から使用キャラクターを選択して選手を補強したとしても、メンバー全体がいわばマンネリしてしまう傾向があり、そこに新鮮味を感じさせることは難しかった。このような現状の内容と限界に着目してさらに検討を重ねた本発明者は、かかる課題の解決に結び付く新たな知見を得るに至った。
【０００８】
本発明はこのような知見に基づくもので、プレイヤー同士、あるいはプレイヤーと仮想プレイヤーとの対戦で使用される使用キャラクターと当該対戦で使用されない不使用キャラクターから構成されるチームを用いて当該対戦を行う対戦型ゲームのゲーム進行処理を実施するサーバー装置であって、
各プレイヤー、あるいはプレイヤーと仮想プレイヤーとが使用キャラクターとしてどのキャラクターを選択したかという選択情報を含むゲーム進行処理要求をクライアント端末から受信する受信手段と、
該受信手段によって受信したゲーム進行処理要求に対応したゲーム進行処理を実施するゲーム進行処理手段と、
対戦前に、所定条件に基づき、各プレイヤー、あるいはプレイヤーと仮想プレイヤーによる入札対象となるドラフトキャラクターを決定するドラフトキャラクター決定手段と、
ドラフトキャラクターの能力値を、使用キャラクターの能力値に基づいて設定する能力設定手段と、
対戦前に、ドラフトキャラクターの入札モードを実行する入札モード実行手段と、
を備えることを特徴としている。
【０００９】
このサーバー装置によれば、対戦前、入札対象となるドラフトキャラクターが決定され、各プレイヤーには所望のドラフトキャラクターに入札する機会が与えられる。この結果、落札に成功したプレイヤーは、当該キャラクター（落札ドラフトキャラクター）をチームの構成に含めて対戦をすることが可能となる。
【００１０】
また、ドラフトキャラクターの能力値が、使用キャラクターの能力値に基づいて初期値よりも高い数値に設定されてもよい。プレイヤーのドラフトに参加しようという意欲を高めることができる。
【００１１】
上述のごときサーバー装置において、入札モードで落札された落札ドラフトキャラクターは、当該対戦あるいは所定の対戦の終了後、当該落札ドラフトキャラクターを落札したプレイヤーのチームを構成する使用キャラクター又は不使用キャラクターの一つとして加えられることができる。この場合、プレイヤーにとっては、落札したキャラクター（落札ドラフトキャラクター）が、当該対戦中のみならず、対戦後も保有し続けられることから、プレイヤーのドラフトに参加しようとする意欲がさらに高まることにもなる。
【００１２】
また、上述のように落札ドラフトキャラクターがチームを構成する使用キャラクターまたは不使用キャラクターの一つとして加えられる場合、落札ドラフトキャラクターの能力値は、使用キャラクター又は不使用キャラクターの一つとして加えられる際、初期値に設定されてもよい。こうした場合、落札ドラフトキャラクターに対して、当該対戦において高い能力を発揮し、対戦後は通常的なキャラクターとして構成に加えられる、という特徴を与えることができる。
【００１３】
また、サーバー装置は、入札モードで落札された落札ドラフトキャラクターを、当該プレイヤーの操作に応じ、使用キャラクターに替えて当該ゲームに参戦させるものであることも好ましい。上述したごとく、本発明にかかるサーバー装置によれば、ドラフトキャラクターの能力値は使用キャラクターの能力値の平均値よりも高い数値に設定されていることから、大概のプレイヤーには、入手した落札ドラフトキャラクターをすぐにゲームで使ってみたいという誘因が作用することが予想される。この点、本発明によれば、当該落札ドラフトキャラクターを落札したプレイヤーは、自ら操作することにより、使用キャラクターに替えて当該落札ドラフトキャラクターをゲームに参戦させることができる。
【００１４】
また、サーバー装置は、入札モードで落札された落札ドラフトキャラクターが、当該落札ドラフトプレイヤーを落札したプレイヤーのチームを構成する使用キャラクターと同じキャラクターである場合、当該プレイヤーの操作に応じることなく、当該使用キャラクターに替えて当該落札ドラフトキャラクターを当該ゲームに参戦させるものであることも好ましい。上述したごとく、本発明にかかるサーバー装置によれば、ドラフトキャラクターの能力値は使用キャラクターの能力値の平均値よりも高い数値に設定されていることから、当該落札ドラフトプレイヤーが使用キャラクターと同じキャラクターであるとしても、落札ドラフトキャラクターの能力値が使用キャラクターのそれを上回っているケースが当然にある。本発明によれば、このような場合に、当該使用キャラクターと当該落札ドラフトキャラクターとを自動的に入れ替え、落札ドラフトキャラクターをゲームに参戦させるので、プレイヤーに対し、キャラクターを入れ替えたり使用キャラクターを再度設定したりといった操作や手間をかけず、ゲーム進行をより円滑にすることに資する。
【００１５】
また、本発明にかかるプログラムは、プレイヤー同士、あるいはプレイヤーと仮想プレイヤーとの対戦で使用される使用キャラクターと当該対戦で使用されない不使用キャラクターから構成されるチームを用いて当該対戦を行う対戦型ゲームのゲーム進行処理の結果をクライアント端末に提供するサーバー装置のコンピューターに、
各プレイヤー、あるいはプレイヤーと仮想プレイヤーとが使用キャラクターとしてどのキャラクターを選択したかという選択情報に基づいてゲーム進行処理を実施するステップと、
対戦前に、所定条件に基づき、各プレイヤー、あるいはプレイヤーと仮想プレイヤーによる入札対象となるドラフトキャラクターを決定するステップと、
ドラフトキャラクターの能力値を、使用キャラクターの能力値に基づいて設定するステップと、
対戦前に、ドラフトキャラクターの入札モードを実行するステップと、
を実行させるというものである。
【発明の効果】
【００１６】
本発明によれば、試合毎の意外性を高め、ひいては飽きのこない対戦型ゲームをプレイヤーに供することができる。
【図面の簡単な説明】
【００１７】
【図１】本発明の一実施形態に係るゲーム装置の外観形状の一例を示す図である。
【図２】ゲーム装置の構成を概略的に示すブロック図である。
【図３】本発明の一実施形態に係るサーバー装置の構成を概略的に示すブロック図である。
【図４】本発明の一実施形態に係る対戦ゲームの進行例を示すフローチャートである。
【図５】本発明の一実施形態に係るドラフト（入札モード）の一例を示すフローチャートである。
【図６】図５の続きを示すフローチャートである。
【図７】ドラフトキャラクターの一つを表示した画面の一例を示す図である。
【図８】入札完了時の画面の一例を示す図である。
【図９】入札額を表示する前の時点における画面の一例を示す図である。
【図１０】入札額を表示した画面の一例を示す図である。
【図１１】落札に成功した旨などを当該プレイヤーに通知する画面の一例を示す図である。
【図１２】先発メンバーの中の１人を落札ドラフトキャラクターに入れ替える際の画面の一例を示す図である。
【図１３】先発メンバーを編成する際の画面の一例を示す図である。
【発明を実施するための形態】
【００１８】
以下、本発明の構成を図面に示す実施の形態の一例に基づいて詳細に説明する（図１〜図１３参照）。
【００１９】
本発明に係るサーバー装置５０は、クライアント端末の一例であるゲーム装置１０との組み合わせにより、複数のプレイヤーが遊戯することができるオンライン型の対戦型ゲームシステムを構築している。このサーバー装置５０とゲーム装置１０とは、例えば、３Ｇ（3rd Generation）、ＧＳＭ（登録商標）（Global System for Mobile Communications）、ＬＴＥ（Long Term Evolution）等の通信方式を利用して通信することができる。以下、まずはゲーム装置１０、次にサーバー装置５０およびサーバーシステムの構成について説明し、その後、ゲーム内容について進行例を挙げながら説明する。
【００２０】
＜ゲーム装置（クライアント端末）の構成例＞
図１は、本実施形態におけるゲーム装置１０の外観形状の一例を示す図である。ゲーム装置１０の典型的な一例はスマートフォンなどの携帯電話機であるが、この他、ゲーム専用端末または汎用端末、ネットワークに無線接続可能な携帯端末、あるいはタブレット型端末のようなタッチパネルを搭載した電子機器など、ネットワークを使って通信しながらのゲームが可能な汎用機器なども本実施形態におけるゲーム装置１０に該当しうる。
【００２１】
本実施形態におけるゲーム装置１０は、矩形の薄形筐体１１を備え、その筐体１１の一方の面には、タッチパネル１２が多くの部分を占めるように構成されている（図１参照）。該タッチパネル１２が搭載されている面（正面）には、レシーバー１３、マイクロフォン１４およびハードボタン１５が設けられている。また、ゲーム装置１０の側面や底面には、ハードキー１６、スピーカー１８（図２参照）および音声出力端子１７（図２参照）などの外部インターフェースが設けられる。さらに、ゲーム装置１０の背面には、カメラ３０（図２参照）が設けられている。
【００２２】
図２は、本実施形態におけるゲーム装置１０の構成を概略的に示すブロック図である。ゲーム装置１０は、上記各構成要素に加えて、移動体通信用アンテナ２１、移動体通信部２２、無線ＬＡＮ通信用アンテナ２３、無線ＬＡＮ通信部２４、記憶部２５、主制御部２６を少なくとも有し、さらに、スピーカー１８、カメラ３０や音声出力端子１７を含む外部インターフェース３２などを有する。
【００２３】
タッチパネル１２は、表示装置および入力装置の両方の機能を備え、表示機能を担うディスプレイ（表示画面）２７と、入力機能を担うタッチセンサー２８とで構成される。ディスプレイ２７は、例えば、液晶ディスプレイや有機ＥＬ（Electro Luminescence）ディスプレイなどの一般的な表示デバイスにより構成される。タッチセンサー２８は、ディスプレイ２７の上面に配置された接触操作を検知するための素子およびその上に積層された透明な操作面を備えて構成される。タッチセンサー２８の接触検知方式としては、静電容量式、抵抗膜式（感圧式）、電磁誘導式など既知の方式のうちの任意の方式を採用することができる。
【００２４】
表示装置としてのタッチパネル１２は、主制御部２６によるコンピューターゲームプログラムの実行により生成されるゲーム画像を表示する。入力装置としてのタッチパネル１２は、操作面に対して接触する接触物（遊戯者の指やタッチペンなどを含む。以下、「指」である場合を代表例として説明する）の動作を検知することで、操作入力を受け付け、その接触位置の情報を主制御部２６に与える。指の動作は、接触点の位置または領域を示す座標情報として検知され、座標情報は、例えば、タッチパネル１２の短辺方向および長辺方向の二軸上の座標値として表される。
【００２５】
ゲーム装置１０は、移動体通信用アンテナ２１や無線ＬＡＮ通信用アンテナ２３を通じてネットワーク（インターネット）４０に接続され、サーバー装置５０との間でデータ通信をすることが可能である（図２参照）。サーバー装置５０は、ゲーム装置１０において実行されたゲーム等のプレイデータ（遊戯に関するデータ）をネットワーク４０を介して収集し、当該プレイデータを蓄積して管理する等、当該ゲームシステムのハブとなるサーバーとして機能する。本実施形態のサーバー装置５０には、各遊戯者のＩＤ（システム利用者を識別するための符号）、ニックネーム、アイコン（各遊戯者が選択したアイコン）、アクセス履歴、各種ゲームの遊戯履歴、遊戯中のゲーム状況、各種設定（ゲームに共通の設定）、さらには独自の指標（当該ゲームの習熟度を表すレベルや経験値など）等の各種情報が蓄積され、管理されている。
【００２６】
本実施形態では、ゲーム装置１０がネットワーク４０およびサーバー装置５０と接続された場合に、当該ゲーム装置１０に対して種々のゲームをオンラインで提供することができるオンラインゲームシステムを構築している。該オンラインゲームシステムにおいては、複数種類のゲームソフト（アプリケーション）に対応したプレイデータを管理・提供等することにより、遊戯者に対し、さながらゲームセンター（アミューズメント施設）の色々なゲームを遊戯しているかのような楽しみを提供することが可能となっている。ゲームソフト（アプリケーション）は、ゲーム装置１０にインストールされたものであってもよいし、オンライン上でサーバー装置５０からゲーム機能が提供されるものであってもよい。一例として、以下でサーバー装置５０について説明した後、複数のキャラクターによって構成されるチームを率いてゲームプレイヤー同士が対戦する対戦型ゲームを例示しながらゲーム内容や進行時の処理内容等について説明する（図２〜図６等参照）。以下に説明するように、本実施形態においては、対戦型ゲームを始める前、ドラフト対象となったキャラクターの中から各プレイヤーが所望のキャラクターを選択し入札することができるモード（入札モード）を実施することとしている。
【００２７】
＜サーバー装置５０の構成例＞
サーバー装置５０は、ログインした複数のプレイヤー同士が対戦する対戦型ゲーム等のゲーム進行処理を行い、その結果をゲーム装置１０に提供する装置である（図２、図３参照）。かかるサーバー装置５０は、物理的には、コンピューター（ＣＰＵ）５１と、記憶装置と、入出力インターフェースとを含む。記憶装置は、例えば、コンピューター５１で処理されるプログラムおよびデータを記憶するＲＯＭやＨＤＤ、主として制御処理のための各種作業領域として使用するＲＡＭ等を含む。記憶装置などで構成されるデータベースは、当該サーバー装置５０の内部に構成されていても、外部に構成されていてもよい。
【００２８】
サーバー装置５０を構成するこれらの各要素は、互いにバスを介して接続されている（図３参照）。コンピューター５１は、ＲＯＭに記憶されたプログラムを実行し、入出力インターフェースを介して受信されるメッセージや、ＲＡＭに展開されるデータ等を処理することで、サーバー装置５０における各種手段・機能を実現する。例えば本実施形態のサーバー装置５０におけるコンピューター５１は、受信手段、ゲーム進行処理手段、ゲーム信号生成手段、ゲーム信号送信手段、さらには、ドラフトキャラクター決定手段、能力設定手段、入札モード実行手段、使用キャラクター決定手段、ドラフトキャラクター加入手段等として機能する（図３参照）。
【００２９】
受信手段（図３において符号５２で示す）は、入出力インターフェースを介して、ゲーム装置１０から所定のゲーム進行処理要求を受信する。ゲーム進行処理要求には、例えば、各プレイヤーによるキャラクターの選択情報を含むゲーム進行処理要求、ゲーム装置１０を一意に特定可能な端末識別情報、ゲーム開始時のログイン情報などが含まれる。
【００３０】
ゲーム進行処理手段（図３において符号５３で示す）は、ゲーム信号生成手段（図３において符号５４で示す）およびゲーム信号送信手段（図３において符号５５で示す）から成り、受信手段５２によって受信したゲーム進行処理要求に対応したゲーム進行処理を実施する。
【００３１】
ゲーム信号生成手段５４は、受信手段５２によって受信したゲーム進行処理要求に対応したゲーム進行処理を実施するためのゲーム進行処理信号を生成する。
【００３２】
ゲーム信号送信手段５５は、ゲーム信号生成手段５４によって生成されたゲーム進行処理信号を、入出力インターフェースを介してゲーム装置１０に送信する。
【００３３】
ドラフトキャラクター決定手段（図３において符号５６で示す）は、プレイヤー同士による対戦前に、所定条件に基づき、各プレイヤーによる入札対象となるドラフトキャラクターを決定する。後述するように、決定は例えば無作為な抽選の結果に基づく。
【００３４】
能力設定手段（図３において符号５７で示す）は、入札対象となったドラフトキャラクターの能力値を、所定のパラメーターに基づいて決定する。後述するように、本実施形態では当該プレイヤーの使用キャラクターの平均能力値（能力値の平均値）よりも高い値に設定される。
【００３５】
入札モード実行手段（図３において符号５８で示す）は、上述のように決定されたドラフトキャラクターを入札対象としたドラフトモード（入札モード）を実施する。
【００３６】
使用キャラクター決定手段（図３において符号５９で示す）は、入札モードで落札されたドラフトキャラクターを、プレイヤーの操作に応じて対戦に使用するキャラクターとして設定する。
【００３７】
ドラフトキャラクター加入手段（図３において符号６０で示す）は、入札モードで落札された落札ドラフトキャラクターを、対戦の終了後、当該落札ドラフトキャラクターを落札したプレイヤーのチームを構成する前記使用キャラクター又は前記不使用キャラクターの一つとして当該チームに加える。
【００３８】
＜ゲームの内容例＞
本実施形態のサーバー装置５０等からなるゲームシステムは、プロリーグを模したサッカーゲームを提供する。このサッカーゲームでは、自チーム（クラブチーム）を有する各プレイヤーが、チームを編成してNo.1のクラブチームを作り上げるという目的をベースとしながら、（１）サッカー選手の移籍（強奪のごとき態様を含む）、（２）レンタル移籍、（３）オークション  など、サッカー選手（キャラクター）のリアルな移籍市場（マーケット）などの要素を加味した編成を行い、プロリーグさながらにチームの強化を図るという醍醐味を味わうことができる。
【００３９】
実際のゲームは、「チーム作成」、「チーム編成」、「試合」（プレイヤー同士の対戦型ゲーム）といった各種ステージから構成される。以下では、これらのうち、「チーム編成」についてごく簡単に説明をし、その後、「試合」についてゲームの進行例とともに詳しく説明する。
【００４０】
「チーム編成」のステージでは、主として選手を獲得することによってチーム強化を図ることができる。選手の獲得は、プレイヤー自ら課金アイテムを購入することに新しい選手アイテムを入手する形式の他、いわゆる移籍市場にて獲得するという形式でも行うことができる。この移籍市場では、例えば、他のプレイヤーから奪う形式（強奪）、他のプレイヤーの協力を得て入手する形式（レンタル）、オークションによって入手する形式などがある（ソーシャルアクティビティ）。また、詳しい説明は省くが、練習や試合を経て各選手の能力値（例えば、経験値といった要素を含む）を高めることが可能である。各プレイヤーは、このように変動する能力値の他、選手の価値（「市場価格」）、当該プレイヤーと各選手との結びつき（「親密度」）などの要素を加味し、各選手の価値変動を見極めつつ補強してオリジナルのチームを編成するという楽しみを味わうことができる。
【００４１】
「試合」には、プレイヤー同士が対戦する対戦型のシミュレーションサッカーゲーム（一例として「カップ戦」と称される選手権）が含まれる。この対戦型の試合において、各プレイヤーは自チームの監督となり、まずは自己が保有する複数のキャラクターの中から、能力値、ポジション、適正、特徴などを考慮しつつスターティングイレブンつまり先発メンバー（使用キャラクター）を決定し、登録する（図１３参照）。本実施形態では、このように決定された先発メンバーの構成を基本的な判断要素とし、ダイジェスト形式（試合の要約を示す）あるいは結果表示形式（試合結果のみを示す）により各プレイヤーに試合結果を示す。
【００４２】
また、本実施形態では、ドラフトシステムを導入しており、対戦型のサッカーゲームを行う前に、ドラフト対象である選手（ドラフトキャラクター）の中から所望の選手を獲得できるようにしている。入札に成功したプレイヤーは、当該選手（ドラフト対象キャラクター）を入手することができる。入手した選手（落札ドラフトキャラクター）は、その能力値が、先発メンバーの能力値（の平均値）よりも高い数値に設定されている。
【００４３】
＜キャラクター＞
キャラクター（選手）は、「選手名」、「ポジション」、「能力値」、「属性」、「スキル」、「基礎パラメーター」、「成長パラメーター」、「スタイル」さらに「レアリティ」などで特徴づけられる。
【００４４】
選手名は、実在の選手に基づくものであってもよいし、創作されたものであってもよい。
【００４５】
ポジションは、サッカーにおける各選手の位置を示す。本実施形態のゲームにおいては、「ＧＫ」、「ＤＦ」、「ＭＦ」、「ＦＷ」の４種類のいずれかが表示される。
【００４６】
能力値は、各選手のサッカーの能力を数値で示したものである。本実施形態のゲームでは、この能力値を「ＯＦＦ」（オフェンス値）と「ＤＥＦ」（ディフェンス値）とに振り分けて表示している。オフェンス値が高いほど攻撃に優れ、ディフェンス値が高いほど守備力に優れる。
【００４７】
属性は、「ストライカー」などのポジションとは異なるサッカー選手としての動きの特性情報を示す。キャラクター毎に、当該属性を最大で３つまで備えることができる。
【００４８】
スキル（ＳＫＩＬＬ）は、試合中に発動することで選手のパラメーターを変化させることができる情報を示す。本実施形態においては、例えば、選手自身の「ＤＥＦ」のパラメーターを上げる「マグネットキャッチ」、味方ＤＦ全員の「ＤＥＦ」のパラメーターを上げる「同調するディフェンス」、相手ＭＦ全員の「ＯＦＦ」のパラメーターを下げる「絶え間ないプレッシング」がある。
【００４９】
基礎パラメーターは、当該キャラクターに固有の特性を表す能力値として示される。成長パラメーターは、その後の育成、試合などの内容に基づいて変動しうる。キャラクターの能力をこれら基礎パラメーターや成長パラメーターで表すことは、能力値の多様化につながる。なお、本実施形態では、成長パラメーターは育成の場面においてのみ変動し、試合の場面においては変動しないようにしている。
【００５０】
スタイルは、各選手のプレースタイル情報を示す。本実施形態のゲームにおいては、「アタック」、「ポゼッション」、「プレス」、「ブロック」の４種類がある。
【００５１】
レアリティは、当該キャラクターが表示された仮想カードの種別を示す。例えば本実施形態の場合、レアリティとして、「レギュラー」、「スペシャル」、「レア」、「ワールドクラス」、「スーパースター」、「ベストイレブン」、「ＭＶＰ」の７種類を設定している。レアリティの種別毎の仮想カード発行数は、レギュラー、スペシャル、レア、ワールドクラス、スーパースター、ベストイレブン、ＭＶＰの順に少なくなる。希少価値が高い仮想カードほど、プレイヤーの蒐集欲に訴える。同じ選手名であっても、レアリティの種別に応じて異なる能力値（オフェンス値、ディフェンス値）が設定されている。
【００５２】
＜対戦ゲームの進行例＞
対戦ゲームの進行例をフローチャートとともに説明する（図４参照）。
【００５３】
プレイヤーがゲーム装置１０に所定の入力をして対戦ゲームを開始すると、サーバー装置５０が、当該プレイヤーにとって初めて行う対戦ゲームかどうかを判断する（ステップＳＰ１）。初めての対戦ゲームであれば（ステップＳＰ１にてＹｅｓ）、所定の初回説明（チュートリアル）をプレイヤーに示す（ステップＳＰ２）。初回説明は、対戦ゲーム（カップ戦）の進め方、ルールなどの説明を含む。なお、チュートリアルは、初めて行われる対戦か否かに拘わらず、対戦ゲーム（カップ戦）のページにアクセスした時に任意で見ることができるようになっているものであってももちろん構わない。
【００５４】
続いて、マッチングエントリーを行う（ステップＳＰ３）。このマッチングエントリーは、当該プレイヤーと、対戦ゲームを希望する他のプレイヤーとの組み合わせの中から適したものを抽出することによって行う。この抽出は、ゲーム入力のタイミング等の他、各プレイヤーのゲームレベル（対戦ゲームへのエントリー数、保有キャラクターの能力値、過去の勝敗、など）を考慮し、大きなレベル差が生じないような組み合わせとなるようにするものであってもよい。本実施形態では、計４人のプレイヤー（プレイヤーとのマッチングが不可の状況などにおいては、ＣＰＵとのマッチングを含んでもよい）のマッチングを行い、各プレイヤー３試合ずつのリーグ戦を行う。マッチングが終了したら、各プレイヤーのゲーム装置１０のディスプレイ２７に相手（ユーザー名など）を表示する（ステップＳＰ４）。
【００５５】
続いて、ドラフト（入札モード）を実施する（ステップＳＰ５）。ドラフトの具体例については後述する。
【００５６】
その後、対戦ゲームを実施する。本実施形態のサッカーゲームでは、プレイヤー１人あたり３試合ずつ総当たりリーグ戦を行い、各試合の結果を順次表示する（ステップＳＰ６〜ステップＳＰ８）。試合の結果は、ダイジェスト形式あるいは結果表示形式によって表示される。
【００５７】
続いて、３試合トータルの結果として、該対戦ゲームに参加したプレイヤー（ＣＰＵの場合を含む）の順位を表示する（ステップＳＰ９）。また、順位に応じた各種ポイントを付与する場合には、当該ポイントを表示し、あるいは加算する。
【００５８】
＜ドラフトの進行例＞
ドラフトの進行例を、フローチャートおよび画面例とともに説明する（図５〜図１２参照）。
【００５９】
ドラフト（入札モード）の開始後、コンピューター５１のドラフトキャラクター決定手段５６としての機能により、各プレイヤーによる入札対象となるドラフトキャラクターを決定する（ステップＳＰ５１）。決定は、全キャラクターの中から抽選により無作為に抽出することにより行う。この際、本実施形態のゲームシステムでは、個々のキャラクターに紐付けられたキャラクターＩＤ（選手ＩＤ）に基づく排他的な抽選を行うため、同じキャラクターが重複してドラフトキャラクターとして抽出されることはない。例えば、レアリティ「レア」のキャラクター名「タロウ」とレアリティ「スーパースター」の同キャラクターはキャラクターＩＤ（選手ＩＤ）が同じため、同じ回のドラフトにおいて重複して抽出されることはない。なお、排他的な抽選は行わず、１人目、２人目と個別に抽選してもよい。この場合は、同じレアリティの同一キャラクターが２人連続でドラフトキャラクターになることが発生しうる。
【００６０】
次に、コンピューター５１の能力設定手段５７としての機能により、ドラフトキャラクターの能力値を設定する（ステップＳＰ５２）。能力値の設定基準としては種々のものが考えられる。本実施形態では、プレイヤーによって既に登録されている先発メンバー（使用キャラクター）全員の能力値の平均値を算出する。例えば、当該ドラフトに４人のプレイヤーが参加しているのであれば、各チームの先発メンバー１１人×４チーム＝４４選手の能力値の平均レベルを算出することになる。その後、
（算出した平均レベル×Ａ−1）＋Ｂ
という計算式に従い、Ａ、Ｂの数値を適宜設定することによってドラフトキャラクターの最終的な能力値（レベル）を設定する。Ａ、Ｂそれぞれの数値は、ドラフトキャラクターの最終的な能力値が、少なくとも先発メンバーの平均値を超えるように（平均値＋αとなるように）適宜設定される。このように、ドラフトキャラクターの能力値を少なくとも先発メンバーの平均値を超えるように設定しておけば、当該ドラフトキャラクターは、現有戦力を向上させうるキャラクターとして映るから、各プレイヤーに獲得意欲をかきたてるアイテムとなりうる。
【００６１】
なお、ここで説明したドラフトキャラクターの能力値設定手法は好適な一例にすぎない。この他、例えば、最も強いプレイヤー（例えば、先発メンバーの能力値の合計が最も高いプレイヤー）が保有するキャラクターの能力値を参照し、これらキャラクターの中で最も大きな能力値を参照し、該能力値に基づいて、あるいは該能力値を上回るようにドラフトキャラクターの能力値を設定してもよい。
【００６２】
あるいは、上述のように先発メンバー（使用キャラクター）全員の能力値の平均値を算出するほか、先発メンバー＋控えメンバー（不使用キャラクター）の能力値の平均値（換言すれば、先発メンバーとして登録された選手と、先発メンバーとして登録されなかった選手の能力値の平均値）を算出し、該平均値に基づいて、あるいは該平均値を上回るようにドラフトキャラクターの能力値を設定してもよい。
【００６３】
以上のように設定された能力値は、適宜、ドラフトキャラクターに関する情報として表示される（ステップＳＰ５３）。本実施形態では、当該ドラフトキャラクターの選手名（例えば「タロウ」）、ポジション（例えばＭＦ）などに加え、プレイヤーが保有する先発（スタメン）キャラクターの中で、ドラフトキャラクターと同じポジションの選手のうち最も能力の低いキャラクターと当該ドラフトキャラクターの能力値の差（例えばオフェンス値「↑１４２８」、ディフェンス値「↑１１５７」、この場合の上向き矢印は、当該ドラフトキャラクターのほうが能力値が高いことを表す）を示す（図７参照）。このように、ドラフトキャラクターとプレイヤーが保有するキャラクターとの能力差を示す表示方法によれば、ドラフトキャラクターが自己の保有キャラクターより強いか、弱いかが数値をみて簡単に判断することができる。とくに、上述のように平均値に基づいてドラフトキャラクターの能力値を設定する場合、低確率ではあるもののドラフトキャラクターの能力がプレイヤーの保有キャラクターよりも低い場合が生じうるが、このような表示手法によれば、プレイヤーがわざわざ能力の低いドラフトキャラクターに入札することを予防することにも繋がる。
【００６４】
続いて、コンピューター５１の入札モード実行手段５８としての機能により、ドラフトの入札モードを実行する（ステップＳＰ５４）。本実施形態では、各プレイヤーが、ドラフトキャラクターの中に獲得を望む選手がいれば当該選手に対して入札金額を決定し、入札が重複した場合には入札金額が高いほうが落札できるシステムとしている。
【００６５】
入札モードについて具体例を挙げながら説明する（図７等参照）。ドラフトキャラクター「タロウ」に入札しようとしたプレイヤーは、該ドラフトキャラクターを選択することにより入札画面へと移動することができる（図７参照）。この入札画面では、当該キャラクター（タロウ）の選手名、ポジション、能力値などを確認したうえで入札を行う（ステップＳＰ５５）。
【００６６】
入札は、所望の金額を入力する形態でもよいが、本実施形態では、選手毎に異なる単位入札金額（例えば６０Ｇ（Ｇは仮想単位））を設定しておき、該単位が入札金額を一口として何口入札するかによって入札金額を決定するようにしている。例えば図７に示す画面においては、口数の一の位と中の位を増減させて口数を選び、単位入札金額（６０Ｇ）×口数の入札金額を決定することができる。ただし、プレイヤーの自己資金を超える額の入札はできない。当該時点での資金（残り金額）は、画面の左下に例えば「１５０Ｇ」などと表示されている。また、入札できる時間（入札可能時間）の残り時間が画面の右下に例えば「残り６５秒」などと表示されている。
【００６７】
全プレイヤーの入札手続が済み、あるいは所定の入札可能時間が経過したら入札完了となる。画面には、「入札完了」の旨とともに、各プレイヤーがどのドラフトキャラクターに入札したかが示される（図８参照）。図に示す例では、自分（ユーザー名「タケウチ＠」）が入札したドラフトキャラクター（「タロウ」）には他のプレイヤー（「ＣＰＵ３」）も入札しており、ドラフト指名が重複している状態であることが表されている。また、他のドラフトキャラクターに対しても他の２人のプレイヤーから入札されており、ここでもドラフト指名が重複している。
【００６８】
なお、入札完了の旨の表示は、全プレイヤーの入札手続が終了した時点で全プレイヤーに一斉に行う形でもよいし、入札手続が終了したプレイヤーに対して順次表示していく形でもよい。また、後者の場合は、入札手続が先に終了したプレイヤーに対し、当該時点で入札手続が終了していないプレイヤーの入札動向を知らせるものであってもよい。こうした場合には、入札終了後のプレイヤーに他プレイヤーの動向を伺うという楽しみを与えることができるし、全プレイヤーに対しては、できるだけ早く入札手続を終了させようという誘因を与えることができる。
【００６９】
このようにドラフト指名が重複した場合は（ステップＳＰ５７にてＹｅｓ）、入札額の多寡により落札者を決定する（ステップＳＰ５８）。本実施形態では、入札完了後（図８参照）、「入札額は？」と表示された画面（図９参照）の表示を経て、重複指名した全プレイヤーのそれぞれの入札額を表示する（図１０参照）。図に示す例では、自分（「タケウチ＠」）の入札額が１２０Ｇ、同じドラフトキャラクター（「タロウ」）を重複指名した別のプレイヤー（「ＣＰＵ３」）の入札額が６０Ｇであり、入札額が上回った自分（「タケウチ＠」）が落札者となり、「契約成立！」と表示されている（図１０参照）。
【００７０】
また、ドラフト指名が重複したプレイヤー間で、最高入札額が同額だった場合は、他のファクターに基づいて落札者を決定する。図１０に示す例では、ユーザー名「テスト」のプレイヤーと、ユーザー名「ＣＰＵ２」のプレイヤーとが同じドラフトキャラクターに入札しており、しかも入札額が２人とも「５０Ｇ」で同じである。こうした場合、本実施形態では、入札順に基づき、落札者を一人（この場合、ユーザー名「テスト」のプレイヤー）を決定する。
【００７１】
入札の結果、ドラフトキャラクター（例えば「タロウ」）の落札者となったプレイヤー（例えば「タケウチ＠」）には、落札に成功がした旨などが通知される（図１１参照）。例えば図１１に示す例では、「タロウ選手を獲得」した旨とともに、当該選手（タロウ選手）が対戦（カップ戦）の終了後にプレゼントされる旨、引き続き先発メンバー（スタメン）の入れ替えが行われる旨が通知される。
【００７２】
ここで、コンピューター５１の使用キャラクター決定手段５９としての機能により、落札ドラフトキャラクター（例えば「タロウ」）が、当該落札ドラフトキャラクターを落札したプレイヤーのチームを構成する先発メンバー（スタメン）以外のキャラクターかどうか（落札ドラフトキャラクターが先発メンバーに含まれていないかどうか）を判断する（ステップＳＰ６０）。落札ドラフトキャラクター（例えば「タロウ」）が、先発メンバー以外のキャラクターであれば（ステップＳＰ６０にてＹｅｓ）、コンピューター５１の使用キャラクター決定手段５９としての機能により、先発メンバーの１人を落札ドラフトキャラクター（「タロウ」）へと自動的に替え、当該対戦ゲームに参戦させるようにする（ステップＳＰ６１）。このゲームシステムでは、ドラフトキャラクター（例えば「タロウ」）の能力値は各プレイヤーの先発メンバー（使用キャラクター）の能力値の平均値よりも高く設定されていることから、当該ドラフトキャラクター（例えば「タロウ」）を入手したプレイヤーは、落札ドラフトキャラクターをその後の対戦ゲームですぐに使ってみたいと思うケースが多いはずである。この点、本実施形態では、先発メンバーの１人（例えば、同じＭＦというポジションの中で最も能力値が低い「ヨシオ」）を外して控えとし、代わりに当該落札ドラフトキャラクター（「タロウ」）を自動的に先発メンバーとして対戦ゲームに参戦させるので、プレイヤー本人がキャラクターを入れ替えたり、使用キャラクターを再度設定したりといった操作や手間が不要である。
【００７３】
なお、本実施形態では、先発メンバーの１人を落札ドラフトキャラクターへと自動的に替える機能について説明したが、もちろん、コンピューター５１によってこのような自動入れ替え処理をするのと並行して、あるいはこのような処理の代わりに、先発メンバーの中から控えに回す選手をプレイヤー自ら選択できるようにすることもできる（図１２参照）。
【００７４】
一方で、落札ドラフトキャラクター（例えば「タロウ」）が、先発メンバー以外のキャラクターでない場合（ステップＳＰ６０にてＮｏ）、換言すれば落札ドラフトキャラクターが、当該落札ドラフトプレイヤーを落札したプレイヤーの先発メンバーと同じキャラクターである場合、当該プレイヤーの操作に応じることなく、コンピューター５１の使用キャラクター決定手段５９としての機能により、当該先発メンバーに替えて当該落札ドラフトキャラクター（例えば「タロウ」）を対戦ゲームに参戦させるようにする（ステップＳＰ６２）。本実施形態かかるゲームシステムでは、ドラフトキャラクター（例えば「タロウ」）の能力値は各プレイヤーの先発メンバー（使用キャラクター）の能力値の平均値よりも高く設定されていることから、当該ドラフトキャラクター（例えば「タロウ」）を入手したプレイヤーは、先発メンバーに同一キャラクター（例えば「タロウ」）が含まれているとすれば、該先発メンバーを新しく入手した当該ドラフトキャラクターに入れ替えて対戦ゲームに臨みたいと思うケースが多いはずである。この点、本実施形態では、当該先発メンバー（「タロウ」）を当該落札ドラフトキャラクター（落札した「タロウ」）へと自動的に入れ替え、落札ドラフトキャラクターを対戦ゲームに参戦させるので、プレイヤーにとってみれば、キャラクターを入れ替えたり使用キャラクターを再度設定したりといった操作や手間は不要である。もちろん、コンピューター５１の使用キャラクター決定手段５９としての機能によってこのような自動入れ替え処理をするのと並行して、あるいはこのような処理の代わりに、落札したドラフトキャラクターと、先発メンバーである同じキャラクターとのどちらを対戦ゲームに参戦させるかをプレイヤー自ら選択できるようにすることもできる（図１２参照）。
【００７５】
なお、上述のように落札ドラフトキャラクターとの入れ替えを自動的に行って対戦ゲームに参戦させることは好ましい形態の一例であるが、これは、落札ドラフトキャラクターに設定された能力値の大きさによっては、このような自動入れ替えを省いてもよい。例えば、落札ドラフトキャラクターの能力値が、先発メンバーのうち同じポジションのどの選手の能力値よりも低い場合には、自動入れ替えすると却ってチーム全体の能力値が低下することを招来しかねない。そこで、このような状況の場合には自動入れ替えを省くようにする。
【００７６】
以上により、ドラフト（入札モード後におけるキャラクターの自動入れ替え処理を含む）を終了する（図６参照）。
【００７７】
＜落札ドラフトキャラクターの加入＞
コンピューター５１のドラフトキャラクター加入手段６０としての機能により、対戦ゲーム終了後、落札ドラフトキャラクター（例えば「タロウ」）は、当該プレイヤーの保有リストから消滅させてもよいが、消滅させず、当該プレイヤーの保有キャラクター（換言すれば、使用キャラクターおよび不使用キャラクター）に加えられてもよい（落札ドラフトキャラクターの加入）。プレイヤーにとっては、落札した入手に至った落札ドラフトキャラクターが、その後の対戦ゲーム中のみならず、対戦後も保有し続けられることになるから、プレイヤーのドラフトに参加しようとする意欲がさらに高まることに繋がる。なお、上述したように、本実施形態では、落札成功を通知する画面で、併せて、当該落札ドラフトキャラクター（例えば「タロウ」選手）が対戦（カップ戦）終了後にプレゼントされる旨を通知している（図１１参照）。
【００７８】
また、上述のように落札ドラフトキャラクターの加入を実施する場合、コンピューター５１のドラフトキャラクター加入手段６０としての機能により、落札ドラフトキャラクターの能力値を所定値ないし初期値（例えば、育成や成長がまったくない状態といった、キャラクターのレベル１の状態）に再設定してもよい。このように再設定した場合、落札ドラフトキャラクターに対して、当該対戦において高い能力を発揮し、対戦後は通常的なキャラクターとして構成に加えられる、という特徴が与えられる。
【００７９】
なお、上述の実施形態は本発明の好適な実施の一例ではあるがこれに限定されるものではなく本発明の要旨を逸脱しない範囲において種々変形実施可能である。例えば、本実施形態では、スマートフォンなどの携帯電話機などをゲーム装置１０の典型例として説明したが、本発明が適用可能な範囲はこのようなものには限られず、この他、ゲームセンター（アミューズメント施設）におけるゲーム機器や、家庭用テレビゲーム機器などにおいても実施することが可能である。
【００８０】
上述の実施形態では、ゲーム装置１０がサーバー装置５０と通信を行ってゲームが進行する例を挙げたが、サーバー装置５０と通信せずにゲーム装置１０内だけでゲームを進行する形態でもよい。その場合は、上述の実施形態においてサーバー装置５０が実施する処理をゲーム装置１０が実施する。なお、ゲーム装置１０内だけでゲームを進行する形態には、ゲーム装置１０が備える近距離無線通信手段を使って複数のゲーム装置１０で同時に遊戯する形態が含まれる。
【００８１】
上述の実施形態では、プレイヤー同士が対戦するゲーム例を挙げたが、プレイヤーと仮想プレイヤーとが対戦するゲームでもよい。仮想プレイヤーとは、例えば、コンピューターによって制御される仮想的なプレイヤーを指す。
【産業上の利用可能性】
【００８２】
本発明は、プレイヤー同士の対戦で使用される使用キャラクターと当該対戦で使用されない不使用キャラクターから構成されるチームを用いて対戦を行う対戦型ゲームを行うためのサーバー装置、ゲームプログラムおよびゲーム装置などに適用して好適である。
【符号の説明】
【００８３】
１０…ゲーム装置（クライアント端末）
１１…筐体
１２…タッチパネル
１３…レシーバー
１４…マイクロフォン
１５…ハードボタン
１６…ハードキー
１７…音声出力端子
１８…スピーカー
２１…移動体通信用アンテナ
２２…移動体通信部
２３…無線ＬＡＮ通信用アンテナ
２４…無線ＬＡＮ通信部
２５…記憶部
２６…主制御部
２７…ディスプレイ
２８…タッチセンサー
３０…カメラ
３２…外部インターフェース
４０…ネットワーク（インターネット）
５０…サーバー装置
５１…コンピューター
５２…受信手段
５３…ゲーム進行処理手段
５４…ゲーム信号生成手段
５５…ゲーム信号送信手段
５６…ドラフトキャラクター決定手段
５７…能力設定手段
５８…入札モード実行手段
５９…使用キャラクター設定手段
６０…ドラフトキャラクター加入手段
【図１】
2014184096.tif 000003
【図２】
2014184096.tif 000004
【図３】
2014184096.tif 000005
【図４】
2014184096.tif 000006
【図５】
2014184096.tif 000007
【図６】
2014184096.tif 000008
【図７】
2014184096.tif 000009
【図８】
2014184096.tif 000010
【図９】
2014184096.tif 000011
【図１０】
2014184096.tif 000012
【図１１】
2014184096.tif 000013
【図１２】
2014184096.tif 000014
【図１３】
2014184096.tif 000015